(57)【要約】４５９ナノメートル以下の１つ又は複数の発光波長でレーザ光を放出するように構成された第１のレーザ及び４７０ナノメートル以上の１つ又は複数の発光波長でレーザ光を放出するように構成された第２のレーザを有する混色光源と、この混色光源に第１及び第２の光源からの発光を含み知覚色を有する光を知覚的に混合したものを生成させるように構成された色制御データ入力及び色制御データ出力を有する制御装置とを含む装置。システムは、第１の色制御データを第２の色制御データにマップするように構成される。知覚色を有する光を知覚的に混合したものを形成する方法。色制御データを変換する方法。
2010520642.tif 000002
【特許請求の範囲】
【請求項１】
４５９ナノメートル以下の１つ又は複数の発光波長でレーザ光を放出するように構成された第１のレーザと４７０ナノメートル以上の１つ又は複数の発光波長でレーザ光を放出するように構成された第２のレーザとを有する混色光源と、
知覚色を有する光を知覚的に混合したものを前記混色光源に生成させるように構成された、色制御データ出力と色制御データ入力とを有する制御装置とを含み、前記知覚的に混合したものが第１及び第２の光源からの発光を含む、装置。
【請求項２】
前記第１のレーザが、４０５ナノメートルから４５９ナノメートルの間の範囲内の１つ又は複数の発光波長でレーザ光を放出するように構成される、請求項１に記載の装置。
【請求項３】
前記第１のレーザが、４２０ナノメートルから４５９ナノメートルの間の範囲内の１つ又は複数の発光波長でレーザ光を放出するように構成される、請求項１に記載の装置。
【請求項４】
前記第１のレーザが、４２０ナノメートルから４４５ナノメートルの間の範囲内の１つ又は複数の発光波長でレーザ光を放出するように構成される、請求項１に記載の装置。
【請求項５】
前記第１のレーザがＩＩＩ族窒化物レーザを含む、請求項１に記載の装置。
【請求項６】
前記第１のレーザが、波長変換された赤外レーザを含む、請求項１に記載の装置。
【請求項７】
４５９ナノメートル以下の１つ又は複数の第１の発光波長で光を放出する第１の光源から光を出力し、４７０ナノメートル以上の１つ又は複数の第２の発光波長で光を放出する第２の光源から光を出力するステップと、
前記第１及び第２の光源からの発光を含む、知覚色を有する光を知覚的に混合したものを形成するステップと
を含む方法。
【請求項８】
第２の波長とは異なる、４７０ナノメートル以上の１つ又は複数の第３の発光波長で光を放出する第３の光源から光を出力するステップと、
前記第１、第２及び第３の光源からの発光を含む、知覚色を有する光を知覚的に混合したものを形成するステップと
を含む、請求項７に記載の方法。
【請求項９】
第１の知覚色空間に準拠した色制御データを受信するステップと、
前記受信された色制御データを第２の知覚色空間に準拠した色制御データに変換するステップと、
前記第１及び第２の光源からの前記発光を制御するのに前記第２の知覚色空間に準拠した前記色制御データを使用するステップと
を含む、請求項７に記載の方法。
【請求項１０】
色制御データの受信が、Ｎａｔｉｏｎａｌ  Ｔｅｌｅｖｉｓｉｏｎ  Ｓｙｓｔｅｍ  Ｃｏｍｍｉｔｔｅｅ（ＮＴＳＣ）、Ｄｉｇｉｔａｌ  Ｃｉｎｅｍａ  Ｉｎｉｔｉａｔｉｖｅｓ（ＤＣＩ）及びＩｎｔｅｒｎａｔｉｏｎａｌ  Ｅｌｅｃｔｒｏ−ｔｅｃｈｎｉｃａｌ  Ｃｏｍｍｉｓｓｉｏｎ（ＩＥＣ）から構成されるグループから選択されるメンバを含む名称によって識別される、従来の知覚色空間に準拠した色制御データを受信するステップを含む、請求項９に記載の方法。
【発明の詳細な説明】
【技術分野】
【０００１】
本発明は、概して、選択可能な知覚色を有する複数の波長で発光を生成することができる混色光源に関し、また、かかる光源のための色制御データ・システムに関する。
【背景技術】
【０００２】
様々なタイプの混色光源が開発されている。かかる光源の例には、（ｉ）発光する能力をもつ３つの異なる蛍光体のうちの１つをそれぞれ含むピクセルのマトリクスがプリントされた内部スクリーンを有し、それらのピクセルが走査電子ビームによって衝撃を受けたときに３つの異なる対応する知覚色を有する、ブラウン管、（ｉｉ）白色光をカラー・ホイールに通し、知覚色選択のためにホイールの迅速な制御された再配置を行う、光源、及び（ｉｉｉ）液晶ディスプレイが含まれる。また、かかる混色光源を操作する際に使用される色制御データを生成するためのシステムも開発されている。選択可能な知覚色を有する、複数の波長の光を知覚的に混合したものを生成する能力をもつ新しいタイプの混色光源、及び、かかる光源のための色制御データを生成するためのシステムが引き続き必要とされている。
【先行技術文献】
【特許文献】
【０００３】
【特許文献１】米国特許第５，８３４，３３１号
【特許文献２】米国特許第７，１３８，６４８号
【特許文献３】米国特許出願第１１／７１３１５５号
【特許文献４】米国特許出願第１１／７１３２０７号
【特許文献５】米国特許出願第１１／６８１３７６号
【発明の概要】
【課題を解決するための手段】
【０００４】
一実施例では、４５９ナノメートル以下の１つ又は複数の発光波長でレーザ光を放出するように構成された第１のレーザ及び４７０ナノメートル以上の１つ又は複数の発光波長でレーザ光を放出するように構成された第２のレーザを有する混色光源と、知覚色を有する光を知覚的に混合したものを混色光源に生成させるように構成された色制御データ出力及び色制御データ入力を有する制御装置であって、知覚的に混合したものが第１及び第２の光源からの発光を含む、制御装置とを含む装置が提供される。
【０００５】
他の実施例として、４５９ナノメートル以下の１つ又は複数の第１の発光波長で光を放出する第１の光源から光を出力し、４７０ナノメートル以上の１つ又は複数の第２の発光波長で光を放出する第２の光源から光を出力することと、第１及び第２の光源からの発光を含む、知覚色を有する光を知覚的に混合したものを形成することとを含む方法が提供される。この方法はまた、例えば、第２の波長とは異なる４７０ナノメートル以上の１つ又は複数の第３の発光波長で光を放出する第３の光源から光を出力することと、第１、第２及び第３の光源からの発光を含む、知覚色を有する光を知覚的に混合したものを形成することも含むことができる。
【０００６】
他の実施例では、第１の知覚色空間に準拠した第１の色制御データと、第２の知覚色空間に準拠した第２の色制御データと、第１の色制御データを第２の色制御データにマップするように構成されたデジタル・データ・プロセッサとを含むシステムが提供される。
【０００７】
追加の実施例として、第１の知覚色空間に準拠した色制御データを受信し、第１の知覚色空間を識別することと、第２の知覚色空間を定義する色制御データにアクセスすることと、第１の知覚色空間を第２の知覚色空間にマップすることと、第１の知覚色空間に準拠した受信された色制御データを第２の知覚色空間に準拠した色制御データに変換することとを含む方法が提供される。  
【０００８】
本発明のその他のシステム、方法、特徴及び利点は、添付の図面及び詳細な説明を検討することにより、当業者には明らかであり、又は明らかになるであろう。かかる追加のシステム、方法、特徴及び利点は全てこの説明に含まれ、本発明の範囲内にあり、また添付の特許請求によって保護されるものとする。
【０００９】
本発明は、添付の図面を参照することによってよりよく理解されることができる。これらの図の構成要素は、必ずしも原寸に比例せず、寧ろ本発明の原理の説明に重点を置いている。また、これらの図では、同様の参照番号は全ての異なる図において対応する部分を示す。
【図面の簡単な説明】
【００１０】
【図１】装置の一実施例を示す概略図である。
【図２】レーザ・パワー入力レベル対発光波長の範囲のプロットである。
【図３】選択されたレーザによって生成されることができる発光波長を示すグラフを、従来の知覚色空間の実施例と共に並置したプロット・オーバーレイである。
【図４】選択されたレーザによって生成されることができる発光波長を示すグラフを、従来の知覚色空間の実施例と共に並置したもう１つのプロット・オーバーレイである。
【図５】方法の一実施例を示す流れ図である。
【図６】システムの一実施例を示す概略図である。
【図７】方法の一実施例を示すもう１つの流れ図である。
【発明を実施するための形態】
【００１１】
４５９ナノメートル以下の１つ又は複数の発光波長でレーザ光を放出するように構成された第１のレーザを有する混色光源を含む装置が提供される。この混色光源は更に、４７０ナノメートル以上の１つ又は複数の発光波長でレーザ光を放出するように構成された第２のレーザを有する。この装置はまた、色制御データ入力及び色制御データ出力を有する制御装置も含む。色制御データ出力は、第１及び第２の光源からの発光を含む、知覚色を有する光を知覚的に混合したものを混色光源に生成させるように構成される。一実施例として、制御装置は、色制御データ入力で第１の知覚色空間に準拠した色制御データを受信し、色制御データ出力で第２の知覚色空間に準拠した色制御データを送信するように構成することができる。
【００１２】
図１は、装置１００の一実施例を示す概略図である。装置１００は、４５９ナノメートル以下の１つ又は複数の発光波長でレーザ光を放出するように構成された第１のレーザ１１０を含む混色光源１０５を有する。混色光源１０５は、更に、４７０ナノメートル以上の１つ又は複数の発光波長でレーザ光を放出するように構成された第２のレーザ１１５を含む。装置１００は、加えて、色制御データ入力１２５を有する制御装置１２０と、混色光源１０５と信号通信する色制御データ出力１３０とを含む。混色光源１０５は、例えば、４７０ナノメートル以上の１つ又は複数の発光波長でレーザ光を放出するように構成された第３のレーザ１３５も含み得る。第１のレーザ１１０、第２のレーザ１１５及び第３のレーザ１３５は、例えば、異なる波長でレーザ光を放出するように構成することができる。
【００１３】
制御装置１２０は、一実施例では、レーザ１１０、１１５及び１３５と独立して統合されたスイッチ（図示せず）をオン／オフにすることができる。色制御データ出力１３０は、混色光源１０５に第１のレーザ１１０及び第２のレーザ１１５からの発光を含む、また第３のレーザ１３５からの発光も含むことができる光を知覚的に混合したもの１４０を生成させるように構成することができる。光を知覚的に混合したもの１４０は、知覚色を有する。光を知覚的に混合したもの１４０は、第１のレーザ１１０、第２のレーザ１１５及び第３のレーザ１３５のうちの２つ以上からの発光を含み、例えば、画像スポット１４５内に集束させることができる。知覚色は、人間の視覚によって知覚される色である。色覚は、それぞれが異なる波長範囲にわたるスペクトルの３つの領域のうちの１つにおいて光に敏感な、人間の目の中の３つのタイプの錐体細胞の相互作用に依存する。これらのスペクトルの３つの領域は、青色、緑色及び赤色として知られている。もう１つの実施例（図示せず）では、レーザ１１０、１１５、１３５のうちの２つ以上によって放出された光は、知覚色を有する画像スポット１４５を形成するために、反射鏡、反射鏡アレイ、光回折格子、レンズ、その他の適切なデバイス（図示せず）によって独立して方向を変えられることができる。４０５ナノメートル未満の波長を有するレーザ１１０から放出された光は、例えば、人間の視覚によってぼんやりと知覚される或いは知覚できない色を有し得る。一実施例では、レーザ１１０は、４０５ナノメートルから４５９ナノメートルの間の範囲内の１つ又は複数の波長でレーザ光を放出するように構成することができる。
【００１４】
もう１つの実施例では、光を知覚的に混合したもの１４０は、第１のレーザ１１０、第２のレーザ１１５及び第３のレーザ１３５のうちの２つ以上から同時に放出される発光を含むことができ、また追加のレーザ（図示せず）からの同一の又は異なる波長での発光を含むことができる。矢印１５０、１５５、１６０は、それぞれ第１のレーザ１１０、第２のレーザ１１５、第３のレーザ１３５からの発光を表す。第１のレーザ１１０、第２のレーザ１１５、第３のレーザ１３５のうちの２つ以上からの矢印１５０、１５５、１６０によって表される同時発光は、例えば、知覚色を有する画像スポット１４５に集められることができる。
【００１５】
もう１つの実施例として、知覚的に混合したもの１４０は、第１のレーザ１１０、第２のレーザ１１５及び第３のレーザ１３５のうちの２つ以上から異なる時点に連続して放出される発光を含み得る。例えば、かかる連続する放出は、選択された知覚色を生成するために適した時系列に従うように制御することができる。例えば、第１及び第２のレーザ、第１及び第３のレーザ、第２及び第３のレーザ、或いは第１のレーザ１１０及び第２のレーザ１１５及び第３のレーザ１３５の全てからの連続発光は、第１のレーザ１１０、第２のレーザ１１５、第３のレーザ１３５のうちのいずれか１つだけからの発光の知覚色とは異なる色を有するものとして人間の視覚によって知覚されることができる。２つ以上の第１のレーザ１１０、第２のレーザ１１５、第３のレーザ１３５からのかかる連続発光では、例えば、レーザ１１０、１１５、１３５からの発光の発光パルスの長さ及び連続的時間的な循環である周波数を含み、またレーザ１１０、１１５、１３５のそれぞれからの発光の相対的輝度を含む、様々な要因によって変わる知覚色を生成することができる。約２０サイクル／秒から約３０サイクル／秒の間の範囲内の頻度率での２つ以上のレーザ１１０、１１５、１３５からの矢印１５０、１５５、１６０で表される発光の連続的時間的循環は、例えば、その発光が同時であるかのように人間の視覚によって知覚されることができる。もう１つの実施例では、第１のレーザ１１０、第２のレーザ１１５及び第３のレーザ１３５は、知覚的な青色、緑色及び赤色を有する選択された波長でそれぞれ光を放出することができる。この実施例では、知覚的な青色、緑色及び赤色を原色として選択し、知覚色の対応するスペクトルを有する光を知覚的に混合したもののマトリクスを生成する際に使用することができる。光を知覚的に混合したものを形成する際にかかる知覚的な青色、緑色及び赤色のそれぞれの輝度を変えることで、例えば、多様な知覚色の生成を容易にすることができる。
【００１６】
同時であっても選択された周波数で連続して時間的に循環されるものであっても、知覚的な混合光は、第１のレーザ１１０、第２のレーザ１１５及び第３のレーザ１３５のうちの２つ以上からの発光を使用して生成することができ、例えば、追加のレーザ（図示せず）からの同一の又は異なる波長での発光を含み得ることは、当業者に理解される。更に、前述の連続的時間的循環以外の２つ以上のレーザ１１０、１１５、１３５からのレーザ光の同時でない放出もまた使用され得ることは当業者には理解される。
【００１７】
図２は、４００ナノメートルから４７０ナノメートルの間の範囲内の選択されたレーザ１１０に関するレーザ・パワー入力レベル対発光波長のプロットである。４００ナノメートルから４７０ナノメートルの間の範囲内の波長でのレーザ１１０からの発光は、例えば、青色として知覚されることができる。赤及び緑として知覚される発光を有するレーザ１１５、１３５と組み合わせることにより、レーザ１１０は、例えば、Ｃｏｍｍｉｓｓｉｏｎ  Ｉｎｔｅｒｎａｔｉｏｎａｌｅ  ｄ‘Ｅｃｌａｉｒａｇｅ（ＣＩＥ：国際照明委員会）規格によって定義された、人間の目で白として知覚される光を知覚的に混合したもの１４０を生成するために使用することができる。図２のｘ軸は、４００ナノメートルから４７０ナノメートルの間の範囲内で、選択されたレーザ１１０によって放出される光の波長を示す。ｙ軸は、４００ナノメートルから４７０ナノメートルの間の範囲内の選択された波長のレーザ１１０からのかかる発光の０から７の間の範囲内の尺度で相対的な出力放射輝度を示し、この発光は、知覚的に緑色及び赤色をそれら自体が有する発光と組み合わされたときに知覚的な白色を有する光を生成するために必要とされ得る。この相対的出力放射輝度は、所与の波長でレーザ１１０によって放出される光が、光散乱白色表面から斜めに反射されて観察されたときに人間の目によって知覚される質的な光の輝度を表す。
【００１８】
図２は、例えば、４２０ナノメートルから４５９ナノメートルの間の範囲内のレーザ発光波長のレーザ１１０からの発光の比較的安定した知覚的な放射輝度レベルが、知覚的な白色を有する光を知覚的に混合したもの１４０を形成するための、それ自体は知覚的に緑色及び赤色を有する発光との組合せに十分であり得ることを説明する。結果として、比較的安定した入力パワー・レベルが、装置１００の一部として４２０ナノメートルから４５９ナノメートルの間の範囲内の出力レーザ発光波長でレーザ１１０を操作するために使用することができる。更に図２は、例えば、同じ知覚的な白色の放出を実現するために、それら自体は知覚的に緑色及び赤色を有する発光と混合するための４２０ナノメートル未満のレーザ発光波長で必要とされ得るレーザ１１０からの発光の放射輝度レベルが、４００ナノメートルへと下がるに従って、急激に進行する形で上昇することを示す。レーザ１１０からの４２０ナノメートル未満の波長でのかかる高輝度の発光の使用は、例えば、レーザ１１０への非現実的に高いまた危険な電源入力の供給を必要とし、また装置１００のオペレータの視覚への不慮の損傷の高いリスクの許容を伴うこともある。一実施例として、少なくとも４２０ナノメートルのレーザ発光波長を選択することができ、それに応じて、レーザ１１０は、４２０ナノメートルから４５９ナノメートルの間の範囲内の１つ又は複数の波長でレーザ光を放出するように構成することができる。図２は更に、レーザ１１０について必要とされる入力パワー・レベルが、約４４５ナノメートルを超える波長では徐々に増大することを示す。更なる一実施例では、レーザ１１０は、４２０ナノメートルから４４５ナノメートルの間の範囲内の１つ又は複数の波長でレーザ光を放出するように構成することができる。
【００１９】
レーザ１１０は、例えば、ＩＩＩ族窒化物レーザを含むことができる。かかるレーザは、例えば、（ｉ）Ｎｉｃｈｉａ  Ａｍｅｒｉｃａ  Ｃｏｒｐｏｒａｔｉｏｎ，３７７５  Ｈｅｍｐｌａｎｄ  Ｒｏａｄ，Ｍｏｕｎｔｖｉｌｌｅ，ＰＡ  １７５５４、（ｉｉ）Ｓａｎｙｏ  Ｎｏｒｔｈ  Ａｍｅｒｉｃａ  Ｃｏｒｐｏｒａｔｉｏｎ，２０５５  Ｓａｎｙｏ  Ａｖｅｎｕｅ，Ｓａｎ  Ｄｉｅｇｏ，ＣＡ  ９２１５４、（ｉｉｉ）Ｍｉｔｓｕｂｉｓｈｉ  Ｅｌｅｃｔｒｉｃ  ａｎｄ  Ｅｌｅｃｔｒｏｎｉｃｓ  ＵＳＡ  Ｉｎｃ．，５６６５  Ｐｌａｚａ  Ｄｒｉｖｅ，Ｃｙｐｒｅｓｓ，ＣＡ  ９０６３０、又は（ｉｖ）Ｏｐｎｅｘｔ（Ｈｉｔａｃｈｉ），１  Ｃｈｒｉｓｔｏｐｈｅｒ  Ｗａｙ，Ｅａｔｏｎｔｏｗｎ，ＮＪ  ０７７２４から市販されているものでよい。例えば、次の商標名を有する市販のＮｉｃｈｉａ  Ａｍｅｒｉｃａ  Ｃｏｒｐｏｒａｔｉｏｎのレーザ１１０を使用することもできる：４０５ナノメートルのレーザ発光波長を有するＮＤＨＶ３１０ＡＰＣ及び４４５ナノメートルのレーザ発光波長を有するＮＤＨＢ５１０ＡＰＡＥ１。もう１つの実施例では、商標名ＤＬ−６１４６−３０１を有する市販のＳａｎｙｏ  Ｎｏｒｔｈ  Ａｍｅｒｉｃａ  Ｃｏｒｐｏｒａｔｉｏｎのレーザ１１０は、４０５ナノメートルのレーザ発光波長を有し、これを使用することができる。ＩＩＩ族窒化物レーザ及びその製造の方法については、例えば、「Ｍｅｔｈｏｄ  ｆｏｒ  Ｍａｋｉｎｇ  ＩＩＩ−Ｎｉｔｒｉｄｅ  Ｌａｓｅｒ  ａｎｄ  Ｄｅｔｅｃｔｉｏｎ  Ｄｅｖｉｃｅ」の題名で１９９８年１１月１０日に発行されたＲａｚｅｇｈｉ米国特許第５，８３４，３３１号で開示されている。もう１つの実施例では、レーザ１１０は、ＩＩＩ族窒化物量子井戸レーザを含むことができる。ＩＩＩ族窒化物量子井戸レーザ及びその製造法については、例えば、「Ｕｌｔｒａｖｉｏｌｅｔ  Ｇｒｏｕｐ  ＩＩＩ−Ｎｉｔｒｉｄｅ−Ｂａｓｅｄ  Ｑｕａｎｔｕｍ  Ｗｅｌｌ  Ｌａｓｅｒ  Ｄｉｏｄｅｓ」の題名で２００６年１１月２１日に発行されたＫｎｅｉｓｓｌ  ｅｔ  ａｌ．米国特許第７，１３８，６４８号で開示されている。これら２つの特許それぞれの内容全体を参照により本願に組み込む。レーザ１１０が量子井戸レーザを含む場合、ＳＣＨ（ｓｅｐａｒａｔｅ  ｃｏｎｆｉｎｅｍｅｎｔ  ｈｅｔｅｒｏｓｔｒｕｃｔｕｒｅ、分離閉じ込めヘテロ構造）量子井戸レーザを、例えば、使用することができる。レーザ１１０はまた、例えば、選択されたレーザ発光波長に対して構成された分散型フィードバック構造も有することができる。
【００２０】
更に一実施例として、レーザ１１０は、波長変換された赤外レーザを含むことができる。波長変換された赤外レーザ１１０は、例えば、内部又は外部の、倍増、３倍増又はその他の波長変換処理の後に、４０５から４５９ナノメートルの間の範囲内の選択された波長で出力レーザ光を生成する内部又は外部の動作波長を有するように選択されることができる。
【００２１】
一実施例では、装置１００内の第１のレーザ１１０、第２のレーザ１１５及び第３のレーザ１３５はそれぞれ異なる波長でレーザ光を放出するように構成することができる。もう１つの実施例では、約５３２ナノメートルの波長でレーザ光を放出するように構成されたものとして第２のレーザ１１５が選択され、そして約６３０ナノメートルの波長でレーザ光を放出するように構成されたものとして第３のレーザ１３５が選択されることができる。例えば、第１のレーザ１１０、第２のレーザ１１５及び第３のレーザ１３５はそれぞれ、知覚的な青色、緑色及び赤色を有する発光を生成することができる。例えば、４０５ナノメートルから４７０ナノメートルの間の波長範囲内の光は、知覚的に青色を有し得る。５３２ナノメートル又は６３０ナノメートルの波長などの、４７０ナノメートルを超える波長を有する光は、緑又は赤などの異なる知覚色を有し得る。追加の一実施例では、約５００ナノメートルから約５６５ナノメートルの間の波長範囲内の光は、知覚的に緑色を有し得る。もう１つの実施例として、約６２５ナノメートルから約７２５ナノメートルの間の波長範囲内の光は、知覚的に赤色を有し得る。その他の波長で発光を生成する第２のレーザ１１５及び第３のレーザ１３５を使用し得ることは当業者には理解される。更に、第１のレーザ１１０、第２のレーザ１１５及び第３のレーザ１３５のうちの２つだけからの発光を共に組み合わせることによって、或いは３つ以上のレーザ（図示せず）からの発光を共に組み合わせることによって、いくつかの知覚色を生成することができることは理解される。
【００２２】
図３は、５３２ナノメートル（緑）及び６３０ナノメートル（赤）のそれぞれの発光波長での第２の光源１１５及び第３の光源１３５からの発光と共に装置１００内で使用することができる、４０５から４５９ナノメートルの間の範囲内（青）であり得る波長で光を放出する選択された第１のレーザ１１０によって生成されることができる発光波長を示すグラフ３０５を含むプロット・オーバーレイである。グラフ３０５は、それぞれ５００、５３０及び６００ナノメートルを表す円３０６、３０７及び３０８を含む、１０ナノメートルのインクリメント内の第１のレーザ１１０の発光波長を印した円を有する。グラフ３０５は、それぞれＮａｔｉｏｎａｌ  Ｔｅｌｅｖｉｓｉｏｎ  Ｓｙｓｔｅｍ  Ｃｏｍｍｉｔｔｅｅ（ＮＴＳＣ）、Ｄｉｇｉｔａｌ  Ｃｉｎｅｍａ  Ｉｎｉｔｉａｔｉｖｅｓ（ＤＣＩ）及びＩｎｔｅｒｎａｔｉｏｎａｌ  Ｅｌｅｃｔｒｏ−ｔｅｃｈｎｉｃａｌ  Ｃｏｍｍｉｓｓｉｏｎ（ＩＥＣ）の名称によって識別されることができる従来の知覚色空間３１０、３１５、３２０の実施例の上に並置されている。従来の知覚色空間３１０、３１５、３２０に関して、横軸ｘは、０から０．８の間の範囲内の輝度の尺度で人間の目の赤錐体細胞レセプタの刺激の相対的レベル（ｘ）を示す。更に、従来の知覚色空間３１０、３１５、３２０に関して、縦軸ｙは、０から０．９の間の範囲内の輝度の尺度で人間の目の緑錐体細胞レセプタの刺激の相対的レベル（ｙ）を示す。グラフに示された知覚色空間３１０、３１５、３２０は、知覚的な青色を有する４０５ナノメートルから４５９ナノメートルの間の範囲内の波長で第１の光源１１０から正規化された発光（それら自体は図３に図示せず）を実施する。したがって、グラフに示された知覚色空間３１０、３１５、３２０に関して、人間の目の青錐体細胞レセプタの刺激のレベル（ｚ）は、
ｚ＝１−（ｘ＋ｙ）
の値に正規化される。これらの刺激のレベルｘ、ｙ、ｚは、例えば知覚色空間３１０、３１５、３２０内の所与の知覚色を有する光を知覚的に混合したもの１４０を共に形成することができる、第１の光源１１０、第２の光源１１５及び第３の光源１３５によってそれぞれ放出される光の知覚輝度の質的レベルをそれぞれ表す。一実施例として、知覚色空間３１０、３１５、３２０内の所与の点３２５は、知覚色空間３１０、３１５、３２０内の特定の知覚色を有する特定の光を知覚的に混合したもの１４０を形成するために共に使用することができる第１の光源１１０、第２の光源１１５及び第３の光源１３５からの発光の刺激レベルｘ、ｙ、ｚの特定の組合せを表す。
【００２３】
第１の光源１１０、第２の光源１１５及び第３の光源１３５は、例えば、知覚色空間３１０、３１５、３２０を生成するための原色として使用することができることは当業者には理解される。様々な波長のうちの単一の波長で光を放出するように構成された第１のレーザ１１０などの単色光源の知覚色は、曲線３０５上の点によって表される。可視スペクトル領域内の全ての可能な単色光源１１０を表すかかる点の組合せから曲線３０５ができる。かかる光源１１０の知覚色が曲線３０５によって囲まれる空間の内側の１つの点によって表される場合、光源１１０は必ずしも単色でなくてもよい。原色の役目を果たし、知覚色空間３１０の内側の３つの点（図示せず）によって表される３つの多色光源１１０、１１５、１３５は、例えば、３つの原色によって生成され得る知覚色部分空間をその領域がカバーする三角形（図示せず）を共に形成することができる。もう１つの実施例として、他の波長を有する原色が使用することができる。
【００２４】
グラフ３０５は、例えば、第１の（青の）光源１１０に対して選択されることができる様々な動作発光波長を示す。例えば、レーザ１１０は、点３３０によって示されるような４５９ナノメートルの動作発光波長を有し、第１の光源として使用するために選択されることができる。同じ実施例において、レーザ１１５及びレーザ１３５は、それぞれ点３３５及び３４０によって表される５３２ナノメートル及び６３０ナノメートルでの光を放出するために選択されることができる。点３３５及び３４０で終了する線（図示せず）と共に境界線３４５は次に、例えばそれぞれ４５９、５３２及び６３０ナノメートルの動作発光波長を有するレーザ１１０、１１５及び１３５を使用し、生成されることができる知覚色空間３５０を定義する。知覚色空間３５０が生成される場合、例えば、ＮＴＳＣ知覚色空間３１０の一部３５５が除外されることがある。レーザ１１０が４５９ナノメートルの動作発光波長を有して使用される場合に生成からそのように除外されることがあるＮＴＳＣ知覚色空間３１０の一部３５５は、３つの色のソース１１０、１１５、１３５からの発光を共に組み合わせることによって生成されることができない知覚色を表し得る。しかし、一部３５５は、かかるレーザ１１０を第１の色のソースとして使用して生成することができない知覚色空間３１０の小さな部分を表すことができる。加えて、従来の知覚色空間３１０、３１５、３２０は、人間の目によって知覚されることができないいくつかの光を知覚的に混合したもの１４０を生成するための色制御データを含み得る。更に、人間の目によって知覚される異なる光の混合１４０の間のコントラストは、知覚される画像の質を決定する際、全ての可能な知覚色を再現するよりも重要であり得る。同様に、知覚色空間３１５、３２０の小部分は、第１の色のソースとしてかかるレーザ１１０を含む３つの色のソース１１０、１１５、１３５を使用することによる生成から除外され得る。
【００２５】
図４は、それぞれの発光波長５３２ナノメートル（緑）及び６３０ナノメートル（赤）の第２の光源１１５及び第３の光源１３５からの発光と共に装置１００で使用することができる、４０５から４５９ナノメートルの間の範囲内（青）であり得る波長で光を放出する選択された第１のレーザ１１０によって生成されることができる発光波長を示すグラフ４０５を含む、もう１つのプロット・オーバーレイである。グラフ４０５は、それぞれ５００、５３０、６００ナノメートルを示す円４０６、４０７、４０８を含み、１０ナノメートルのインクリメントで第１のレーザ１１０の発光波長を印した円を有する。しかし、この実施例では、４２０ナノメートルの発光波長を有する、異なる第１のレーザ１１０が選択される。グラフ４０５は、それぞれＮＴＳＣ、ＤＣＩ及びＩＥＣを含む名称によって識別されることができる従来の知覚色空間４１０、４１５、４２０の実施例の上に並置されている。従来の知覚色空間４１０、４１５、４２０に関して、横軸ｘは、０から０．８の間の範囲内の輝度の尺度で人間の目の赤錐体細胞レセプタの刺激の相対的レベル（ｘ）を示す。更に従来の知覚色空間４１０、４１５、４２０に関して、縦軸ｙは、０から０．９の間の範囲内の輝度の尺度で人間の目の緑錐体細胞レセプタの刺激の相対的レベル（ｙ）を示す。グラフに示された知覚色空間４１０、４１５、４２０は、図３に関して前述したのと同じ形で、知覚的な青色を有する４０５ナノメートルから４５９ナノメートルの間の範囲内の波長で第１の光源１１０から正規化された発光（それら自体は図４に図示せず）を実施する。第１の光源１１０、第２の光源１１５及び第３の光源１３５は、例えば、図３に関して前述したのと同じ形で知覚色空間４１０、４１５、４２０を生成するための原色として使用され得ることは当業者には理解される。
【００２６】
例えば、レーザ１１０は、点４２５によって示される４２０ナノメートルの動作発光波長を有し、第１の光源として使用するために選択されることができる。同じ実施例で、レーザ１１５及び１３５は、５３２ナノメートル及び６３０ナノメートルで光を放出するために選択されることができ、それぞれ点４３０及び４３５で表されている。点４３０、４３５で終わる線（図示せず）と共に、境界線４４０は次いで、例えばそれぞれ４２０、５３２及び６３０ナノメートルの動作発光波長を有するレーザ１１０、１１５、１３５を使用して生成することができる知覚色空間４４５を定義する。知覚色空間４４５が生成される場合、ＮＴＳＣ知覚色空間４１０の一部４５０は、例えば、除外されることができる。レーザ１１０が４２０ナノメートルの動作発光波長を有して使用される場合にこのように生成から除外され得るＮＴＳＣ知覚色空間４１０の部分４５０は、３つの色のソース１１０、１１５、１３５からの発光を共に組み合わせることによって生成されることができない知覚色を表すことができる。しかし、この部分４５０は、第１の色のソースとしてかかるレーザ１１０を使用して生成することができない知覚色空間４１０の小部分を表すことができる。同様に、知覚色空間４１５、４２０の小部分は、第１の色のソースとしてかかるレーザ１１０を含む３つの色のソース１１０、１１５、１３５を使用することによって生成から除外されることができる。
【００２７】
一実施例において、装置１００は、４５９ナノメートルの又は４２０ナノメートルの選択された動作発光波長を有するレーザ１１０を含む混色光源１０５を有することができる。例えば、次に装置１００が選択された光を知覚的に混合したもの１４０を生成するために使用される場合、混色光源１０５は、知覚色空間３１０、４１０の部分３５５、４５０をそれぞれ作り出すことができないことがある。一実施例では、装置１００は、知覚色空間３１０、４１０の小区画を表す部分３５５、４５０は生成されることはできないということを理解した上で、操作され得る。例えば、選択されたレーザ１１０、１１５を用いて構成される装置１００によって生成することができないことがある知覚色空間３１０、４１０の部分３５５、４５０は、知覚色空間３１０、４１０の境界線３４５、４４０の近くに配置されることができる。同様に、装置１００は、知覚色空間３１５、３２０、４１５、４２０の類似の小部分は生成されることができないことを理解した上で、操作され得る。一実施例では、制御装置１２０は、色制御データ入力１２５で標準ＮＴＳＣ形式で色制御データを受信することができる。かかる実施例によると、部分３５５、４５０の色制御データは次に、例えば色制御データ出力１３０で、４５９ナノメートル及び４２０ナノメートルでそれぞれ動作するレーザ１１０を含む装置１００によって破棄され得る。
【００２８】
もう１つの実施例として、制御装置１２０は、色制御データ入力１２５で第１の知覚色空間に準拠した色制御データを受信し、また色制御データ出力１３０で第２の知覚色空間に準拠した色制御データを送信するようにプログラミングして構成することができる。例えば、制御装置１２０は、部分３５５、４５０をそれぞれ知覚色空間３１０、４１０の残りにマップするように適合されたプログラミングで構成することができる。一実施例として、部分３５５、４５０を知覚色空間３１０、４１０にマップするためのかかるプログラミングは、射影変換を含むデータ処理技法を実行することができる。更に一実施例では、制御装置１２０は、部分３５５、４５０を選択された混色光源１０５によって生成されることができる知覚色空間３５０、４４５との最も近い交点にマップするように適合されたプログラミングで構成することができる。もう１つの実施例として、制御装置１２０は、知覚色空間３１０、４１０を選択された混色光源１０５によって生成されることができる知覚色空間３５０、４４５にマップするように適合されたプログラミングで構成することができる。
【００２９】
４５９ナノメートル以下の１つ又は複数の第１の発光波長で光を放出する第１の光源から光を出力することと、４７０ナノメートル以上の１つ又は複数の第２の発光波長で光を放出する第２の光源から光を出力することとを含む方法が、加えて提供される。この方法は、知覚色を有する光を知覚的に混合したものを形成することを含み、この知覚的に混合したものは第１及び第２の光源からの発光を含む。この方法は、例えば、第１の知覚色空間に準拠した色制御データを受信することと、受信された色制御データを第２の知覚色空間に準拠した色制御データに変換することと、第１及び第２の光源からの発光を制御するのに第２の知覚色空間に準拠した色制御データを使用することとを含む。
【００３０】
図５は、方法５００の一実施例を示す流れ図である。この方法はステップ５０５で開始する。ステップ５１５は、１つ又は複数の４５９ナノメートル以下の第１の発光波長で光を放出する第１の光源１１０から光を出力することと、１つ又は複数の４７０ナノメートル以上の第２の発光波長で光を放出する第２の光源１１５、１３５から光を出力することとを含む。ステップ５２０は、知覚色を有する光を知覚的に混合したもの１４０を形成することを含み、この知覚的に混合したものは第１の光源１０５及び第２の光源１１５からの発光を含む。この方法は次にステップ５２５で終了する。一実施例において、ステップ５１５は、第２の波長とは異なる４７０ナノメートル以上の１つ又は複数の第３の発光波長で光を放出する第３の光源１３５から光を出力することと、知覚色を有し第１の光源１１０、第２の光源１１５及び第３の光源１３５からの発光を含む光を知覚的に混合したもの１４０を形成することとを含む。
【００３１】
もう１つの実施例として、方法は、ステップ５１０で、第１の知覚色空間３１０、３１５、３２０、４１０、４１５、４２０に準拠した色制御データを受信することと、受信された色制御データを第２の知覚色空間３５０、４４５に準拠した色制御データに変換することと、第１の光源１１０及び第２の光源１１５からの発光を制御するのに第２の知覚色空間３５０、４４５に準拠した色制御データを使用することとを含むことができる。ステップ５１０はまた、例えば、第３の光源１３５からの発光を制御するのに第２の知覚色空間３５０、４４５に準拠した色制御データを使用することも含むことができる。ステップ５１０での色制御データの受信は、例えば、ＮＴＳＣ、ＤＣＩ及びＩＥＣからなるグループから選択される１つのメンバを含む１つの名称によって識別される従来の知覚色空間３１０、３１５、３２０、４１０、４１５、４２０に準拠した色制御データを受信することを含むことができる。
【００３２】
ステップ５１０での受信された色制御データの第２の知覚色空間３５０、４４５に準拠した色制御データへの変換は、選択された方式で実行されてよい。例えば、第２の知覚色空間３５０、４４５は、レーザ１１０、１１５を含む選択された混色光源１０５によって生成されることができる光の相対的輝度の全ての組合せで知覚色の色制御データをマップすることによって経験的に決定されることができる。
【００３３】
第２の知覚色空間３５０、４４５の色制御データベースは次に、例えば、第１の知覚色空間３１０、３１５、３２０、４１０、４１５、４２０に準拠した対応する色制御データにマップされることができる。その結果として生じる、第２の知覚色空間３５０、４４５にマップされた色制御データのデータベースは次に、例えば、第１の知覚色空間３１０、３１５、３２０、４１０、４１５、４２０から差し引かれることができる。この減算の後に残る第１の知覚色空間３１０、３１５、３２０、４１０、４１５、４２０の色制御データのいずれかのサブセットは次に、混色光源１０５によって生成されることができない第１の知覚色空間３１０、３１５、３２０、４１０、４１５、４２０の一部３５５、４５０を表す。もう１つの実施例では、第１の知覚色空間３１０、３１５、３２０、４１０、４１５、４２０のいずれかのかかる残部３５５、４５０は、かかる残部に対する色制御データを生成するための能力の欠如を補正するために、第２の知覚色空間３５０、４４５にマップされることができる。一実施例として、第２の知覚色空間３５０、４４５は、第１の知覚色空間３１０、３１５、３２０、４１０、４１５、４２０から部分３５５、４５０を引いたものによって構成されるものとして近似値を求めることができる。次に、例えば、線３６０、４５５は、部分３５５、４５０内の知覚色空間の全てと共に境界線３４５、４４０を通って交差するように、部分３５５、４５０の反対側の第１の知覚色空間３１０、４１０の点３４０、４３５から任意に引き、それらの点上で旋回することができる。第２の知覚色空間３５０、４４５から除外された部分３５５、４５０内のいずれかの色制御データは、次に第２の知覚色空間３５０、４４５内の最も近い点にマップされ、次いで線３６０、４５５上にあり、かつ第２の知覚色空間３５０、４４５の境界線３４５、４４０と交差し、マップされるべき除外された色制御データの点と交差する、色制御データの点に割り当てることができる。もう１つの実施例として、第２の知覚色空間３５０、４４５は、近似値を求める代わりに、前述した経験的に決定される色制御データベースによってエミュレートされてもよい。
【００３４】
更に一実施例として、第１の知覚色空間３１０、３１５、３２０、４１０、４１５、４２０は、マップされるべき残部を生成するために第１の知覚色空間３１０、３１５、３２０、４１０、４１５、４２０から第２の知覚色空間３５０、４４５を差し引く代わりに、第２の知覚色空間３５０、４４５に圧縮されることができる。例えば、第２の知覚色空間３５０、４４５にマップされた色制御データの経験的に決定されたデータベースは、第１の知覚色空間３１０、３１５、３２０、４１０、４１５、４２０の全ての可能な色制御データを、第２の知覚色空間３５０、４４５にマップされた色制御データの経験的に決定されたデータベースに比例的にマップするために使用することができる。一実施例として、部分３５５、４５０内の色制御データの点は、第２の知覚色空間３５０、４４５の内部に届く点にマップされ得る。このようにして、点３４０、４３５上で旋回された所与の位置に固定された線３６０、４５５に沿った点にある第１の知覚色空間３１０、３１５、３２０、４１０、４１５、４２０内の色制御データは実際に、第２の知覚色空間３５０、４４５内の線３６０、４５５の全長に沿って均等に圧縮及びマップされることができる。もう１つの実施例では、この圧縮は、点３４０、４３５から離れた線３６０、４４５で実行されることができる。一実施例として、線３６０、４５５は、点３４０、４３５を軸とする代わりに、部分３５５、４５０の境界も形成する境界線３４５、４４０の一部分に垂直な矢印３６５、４６０によって表される方向に指向されることができる。かかる圧縮を使用する方法５００は、例えば、第２の知覚色空間３５０、４４５内の最も近い点内に装置１００によって生成されることができない第１の知覚色空間３１０、３１５、３２０、４１０、４１５、４２０からの色制御データをマップする方法５００と比べて、混色光源１０５によって生成される画像中の知覚色の間のコントラストを向上させることができる。
【００３５】
色制御データを計算し、格納し、取り出すための、また前述したような色制御データのマッピングその他の処理のための計算を実行するための適切なデジタル・データ・プロセッサをプログラムするためのルールが数学的に公式化され得ることは当業者には理解される。
【００３６】
第１の知覚色空間に準拠した第１の色制御データ、第２の知覚色空間に準拠した第２の色制御データ、及び第１の色制御データを第２の色制御データにマップするように構成されたデジタル・データ・プロセッサを含むシステムも提供される。一実施例では、このデジタル・データ・プロセッサは、第１の知覚色空間から第２の知覚色空間を差し引くように、また第１の知覚色空間のいずれかの残部を第２の知覚色空間にマップするように構成することができる。もう１つの実施例として、このデジタル・データ・プロセッサは、第１の知覚色空間を第２の知覚色空間に圧縮するように構成することができる。
【００３７】
図６は、システム６００の一実施例を示す概略図である。システム６００は、例えば、第１の知覚色空間に準拠した色制御データの第１のデータベース６０５、第２の知覚色空間３５０、４４５に準拠した色制御データの第２のデータベース６１０、及びデジタル・データ・プロセッサ６１５を含み得る。例えば、第１のデータベース６０５及び第２のデータベース６１０の選択は、システム６００の動作アーキテクチャに基づくことができる。一実施例として、動作アーキテクチャは、従来の知覚色空間に適合してフォーマットされた色制御データの受信と、それに続く選択された混色光源１０５と互換性のある形式に変換された色制御データの送信とを含むことができる。したがって、第１の知覚色空間に準拠した色制御データの第１のデータベース６０５は、例えば、従来のＮＴＳＣ、ＤＣＩ又はＩＥＣの知覚色空間３１０、３１５、３２０、４１０、４１５、４２０を定義する色制御データの完全なデータベースを含み得る。更に、第２の知覚色空間３５０、４４５に準拠した色制御データの第２のデータベース６１０は、例えば、選択された混色光源１０５によって生成されることができる色制御データの完全なデータベースを含み得る。かかる完全なデータベースは、例えば、経験的に生成されてもよい。
【００３８】
デジタル・データ・プロセッサ６１５は、矢印６２５で示すように第１のデータベース６０５及び第２のデータベース６１０と信号通信し、第１のデータベースを第２のデータベースにマップするように構成される。例えば、デジタル・データ・プロセッサ６１５は、データベース６０５、６１０内の一致する色制御データに対応する知覚色に基づく第１のデータベース６０５及び第２のデータベース６１０それぞれの内の色制御データを相互に関連付けるための色相関データを含む第３のデータベース６２０を生成し、格納し、エラー修正し、これにアクセスするように構成することができる。一実施例では、デジタル・データ・プロセッサ６１５は、前述のかかる減算と類似の形で第１の知覚色空間３１０、３１５、３２０、４１０、４１５、４２０から第２の知覚色空間３５０、４４５を差し引き、次に前述と類似の形で同様に、第１の知覚色空間３１０、３１５、３２０、４１０、４１５、４２０のいずれかの残部を第２の知覚色空間３５０、４４５にマップするように構成することができる。もう１つの実施例として、デジタル・データ・プロセッサ６１５は、前述の圧縮と類似した形で、第１の知覚色空間３１０、３１５、３２０、４１０、４１５、４２０を第２の知覚色空間３５０、４４５に圧縮するように構成することができる。第１の知覚色空間３１０、３１５、３２０、４１０、４１５、４２０に準拠した複数の色制御データは、第１のデータベース６０５に代替することができること、また第２の知覚色空間３５０、４４５に準拠した複数の色制御データは第２のデータベース６１０に代替できることは当業者には理解される。
【００３９】
第１の知覚色空間に準拠した色制御データを受信すること及び第１の知覚色空間を識別することと、第２の知覚色空間を定義する色制御データにアクセスすることと、第１の知覚色空間を第２の知覚色空間にマップすることと、第１の知覚色空間に準拠した受信された色制御データを第２の知覚色空間に準拠した色制御データに変換することとを含む方法が更に提供される。この方法は、例えば、第１の知覚色空間から第２の知覚色空間を差し引くことと、第１の知覚色空間のいずれかの残部を第２の知覚色空間にマップすることを含むことができる。もう１つの実施例として、この方法は、第１の知覚色空間を第２の知覚色空間に圧縮することを含むことができる。
【００４０】
図７は、方法７００の一実施例を示す流れ図である。この方法は、ステップ７０５で開始し、次いでステップ７１０は第１の知覚色空間に準拠した色制御データを受信すること及び第１の知覚色空間を識別することを含む。ステップ７１５は、第２の知覚色空間３５０、４４５を定義する色制御データにアクセスすることを含む。第１の知覚色空間の第２の知覚色空間３５０、４４５へのマッピングは、ステップ７２０で実行される。ステップ７２５で、第１の知覚色空間に準拠した受信された色制御データは、第２の知覚色空間３５０、４４５に準拠した色制御データに変換される。この方法は、ステップ７３０で終了することができる。一実施例として、第１の知覚色空間に準拠した色制御データは、従来の知覚色空間に適合してフォーマットされることができる。第１の知覚色空間は、例えば、従来のＮＴＳＣ、ＤＣＩ又はＩＥＣの知覚色空間３１０、３１５、３２０、４１０、４１５、４２０でもよい。したがって、ステップ７１０は、例えば、従来のＮＴＳＣの知覚色空間３１０、４１０に準拠した色制御データの受信を含むことができ、その色制御データはＮＴＳＣ形式のビデオ・カメラによって記録された画像を表す。
【００４１】
ステップ７１５での第２の知覚色空間３５０、４４５を定義する色制御データへのアクセスは、例えば、選択された混色光源１０５によって生成されることができる色制御データの完全なデータベースへのアクセスを含むことができる。このようにして、例えば、方法７００は、第１の知覚色空間３１０、３１５、３２０、４１０、４１５、４２０を構成する色制御データの全ての組合せを生成することはできない混色光源１０５を動作させるための色制御データを生成するために使用することができる。ステップ７２０での第１の知覚色空間３１０、３１５、３２０、４１０、４１５、４２０の第２の知覚色空間３５０、４４５へのマッピングは、例えば、色相関データの生成、格納、エラー修正、及びアクセスを含むことができる。一実施例として、第１の知覚色空間３１０、３１５、３２０、４１０、４１５、４２０に準拠した色制御データは、一致した知覚色に基づいて、第２の知覚色空間３５０、４４５に準拠した色制御データと相互に関連付けられることができる。
【００４２】
ステップ７２５での第１の知覚色空間３１０、３１５、３２０、４１０、４１５、４２０に準拠した受信された色制御データの第２の知覚色空間３５０、４４５に準拠した色制御データへの変換は、例えば、前述のかかる減算に類似した形で第１の知覚色空間３１０、３１５、３２０、４１０、４１５、４２０から第２の知覚色空間３５０、４４５を差し引くことを含み得る。第１の知覚色空間３１０、３１５、３２０、４１０、４１５、４２０のいずれかの残部は次に、一実施例として、前述と類似した形で第２の知覚色空間３５０、４４５にマップされることができる。ステップ７２５での第１の知覚色空間３１０、３１５、３２０、４１０、４１５、４２０に準拠した受信された色制御データの第２の知覚色空間３５０、４４５に準拠した色制御データへの変換は、別法として又は追加として、例えば、前述と類似した形で、第１の知覚色空間３１０、３１５、３２０、４１０、４１５、４２０を第２の知覚色空間３５０、４４５に圧縮することを含み得る。
【００４３】
装置１００は、例えば、様々なエンドユーザ・アプリケーションで、またかかる光を知覚的に混合したもの１４０を処理及び表示するように適合された様々な装置と統合されたものとして使用されるために、選択可能な知覚色を有する制御された、選択可能な光を知覚的に混合したもの１４０のソースとして使用することができる。実施例として、装置１００は、選択可能な知覚色を有する選択可能な光を知覚的に混合したもの１４０の画像投影装置のソースとして使用することができる。かかる画像投影装置は、例えば、傾斜可変の、回転可能な、変形可能な又はその他の方向変更が可能であり得る反射鏡を含むマイクロエレクトロニクス機構システム（「ＭＥＭＳ」）の配列を含むことができる。かかるＭＥＭＳデバイスを組み込むことができるエンドユーザ・デバイス又は選択可能な光を知覚的に混合したもの１４０を使用するその他のデバイスの例は、メディア・プレーヤ、セルラ・コミュニケータ、デスクトップ及び携帯用のコンピュータ・モニタ、携帯情報端末、衛星測位システム（「ＳＰＳ」）デバイス及びマイクロプロジェクタを含み得る。同様に、システム６００、方法５００及び方法７００は、かかる光を知覚的に混合したもの１４０のための様々なエンドユーザ・アプリケーションで使用することができる。
【００４４】
装置、システム及び方法１００、５００、６００、７００は更に、Ｖｌａｄｉｍｉｒ  Ａ．Ａｋｓｙｕｋ，Ｒｏｂｅｒｔ  Ｅ．Ｆｒａｈｍ，Ｏｍａｒ  Ｄ．Ｌｏｐｅｚ及びＲｏｌａｎｄ  Ｒｙｆの「ＨＯＬＯＧＲＡＰＨＩＣ  ＭＥＭＳ  ＯＰＥＲＡＴＥＤ  ＯＰＴＩＣＡＬ  ＰＲＯＪＥＣＴＯＲＳ」と題する、整理番号Ａｋｓｙｕｋ４５−１０−１２−１４によって本明細書と同時に出願された、米国特許出願第１１／７１３１５５号で開示された装置、システム及び方法と共に使用することができる。装置、システム及び方法１００、５００、６００、７００は、追加として、Ｒａｎｄｙ  Ｃ．Ｇｉｌｅｓ，Ｏｍａｒ  Ｄ．Ｌｏｐｅｚ及びＲｏｌａｎｄ  Ｒｙｆの「ＤＩＲＥＣＴ  ＯＰＴＩＣＡＬ  ＩＭＡＧＥ  ＰＲＯＪＥＣＴＯＲＳ」と題する、整理番号Ｇｉｌｅｓ  ８１−１３−１５で本明細書と同時に出願された米国特許出願第１１／７１３２０７号で開示された装置、システム及び方法と共に使用することができる。更に、Ｖｌａｄｉｍｉｒ  Ａ．Ａｋｓｙｕｋ，Ｒａｎｄｙ  Ｃ．Ｇｉｌｅｓ，Ｏｍａｒ  Ｄ．Ｌｏｐｅｚ及びＲｏｌａｎｄ  Ｒｙｆの「ＳＰＥＣＫＬＥ  ＲＥＤＵＣＴＩＯＮ  ＩＮ  ＬＡＳＥＲ−ＰＲＯＪＥＣＴＯＲ  ＩＭＡＧＥＳ」、整理番号Ａｋｓｙｕｋ  ４６−８０−１１−１３によって本明細書と同時に出願された米国特許出願第１１／６８１３７６号は、混色光源を使用して投射される知覚色を有する光のピクセルのエッジでの弱め合う干渉に対処するための技法を開示する。弱め合う干渉に対処するためのかかる技法は、例えば、装置１００、システム６００及び方法５００、７００に関連して使用することができる。これらの同時に出願された全ての特許出願の内容全体を参照により本願に組み込む。
【００４５】
上記の説明は、場合によっては、図１及び６に示す装置１００及びシステム６００を参照するが、その主題はこれらの構造物又は本明細書で論じられた構造物に限定されないことを理解されたい。装置及びシステムの他の形及び構成が作られ得る。同様に、図５及び７に示すような、また本明細書で開示されるような方法５００、７００は、いずれかの選択された装置１００又はシステム６００をそれぞれ使用して実行されることができる。更に、方法５００、７００は、追加のステップ及び示されたステップの修正を含み得ることは当業者に理解される。
【００４６】
更に、前記の数多くの実施例の説明は例示及び説明を目的として表されていることは理解されよう。この説明は包括的なものではなく、本特許請求の発明を正確な開示された形に限定しない。前述の説明に照らして、修正及び変形形態が可能であり或いは本発明の実施から得ることができる。本特許請求及びその同等物は本発明の範囲を定義する。
【図１】
2010520642.tif 000003
【図２】
2010520642.tif 000004
【図３】
2010520642.tif 000005
【図４】
2010520642.tif 000006
【図５】
2010520642.tif 000007
【図６】
2010520642.tif 000008
【図７】
2010520642.tif 000009
【手続補正書】
【提出日】平成20年10月10日(2008.10.10)
【手続補正１】
【補正対象書類名】明細書
【補正対象項目名】０００４
【補正方法】変更
【補正の内容】
【０００４】
一実施例では、４５９ナノメートル以下の１つ又は複数の発光波長でレーザ光を放出するように構成されたＩＩＩ族窒化物の第１のレーザ及び４７０ナノメートル以上の１つ又は複数の発光波長でレーザ光を放出するように構成された第２のレーザを有する混色光源と、知覚色を有する光を知覚的に混合したものを混色光源に生成させるように構成された色制御データ出力及び色制御データ入力を有する制御装置であって、知覚的に混合したものが第１及び第２の光源からの発光を含む、制御装置とを含む装置が提供される。
【手続補正２】
【補正対象書類名】明細書
【補正対象項目名】０００５
【補正方法】変更
【補正の内容】
【０００５】
他の実施例として、４５９ナノメートル以下の１つ又は複数の第１の発光波長で光を放出するＩＩＩ族窒化物のレーザを含む第１の光源から光を出力し、４７０ナノメートル以上の１つ又は複数の第２の発光波長で光を放出する第２の光源から光を出力することと、第１及び第２の光源からの発光を含む、知覚色を有する光を知覚的に混合したものを形成することとを含む方法が提供される。この方法はまた、例えば、第２の波長とは異なる４７０ナノメートル以上の１つ又は複数の第３の発光波長で光を放出する第３の光源から光を出力することと、第１、第２及び第３の光源からの発光を含む、知覚色を有する光を知覚的に混合したものを形成することも含むことができる。
【手続補正３】
【補正対象書類名】特許請求の範囲
【補正対象項目名】全文
【補正方法】変更
【補正の内容】
【特許請求の範囲】
【請求項１】
４５９ナノメートル以下の１つ又は複数の発光波長でレーザ光を放出するように構成されたＩＩＩ族窒化物の第１のレーザと４７０ナノメートル以上の１つ又は複数の発光波長でレーザ光を放出するように構成された第２のレーザとを有する混色光源と、
知覚色を有する光を知覚的に混合したものを前記混色光源に生成させるように構成された、色制御データ出力と色制御データ入力とを有する制御装置とを含み、前記知覚的に混合したものが第１及び第２の光源からの発光を含む、装置。
【請求項２】
前記第１のレーザが、４０５ナノメートルから４５９ナノメートルの間の範囲内の１つ又は複数の発光波長でレーザ光を放出するように構成される、請求項１に記載の装置。
【請求項３】
前記第１のレーザが、４２０ナノメートルから４５９ナノメートルの間の範囲内の１つ又は複数の発光波長でレーザ光を放出するように構成される、請求項１に記載の装置。
【請求項４】
前記第１のレーザが、４２０ナノメートルから４４５ナノメートルの間の範囲内の１つ又は複数の発光波長でレーザ光を放出するように構成される、請求項１に記載の装置。
【請求項５】
前記第１のレーザが、４５９ナノメートル以下の１つ又は複数の発光波長で、波長変換なしに、レーザ光を放出するように構成されたＩＩＩ族窒化物レーザを含む、請求項１に記載の装置。
【請求項６】
４５９ナノメートル以下の１つ又は複数の第１の発光波長で光を放出するＩＩＩ族窒化物レーザを含む第１の光源から光を出力し、４７０ナノメートル以上の１つ又は複数の第２の発光波長で光を放出する第２の光源から光を出力するステップと、
前記第１及び第２の光源からの発光を含む、知覚色を有する光を知覚的に混合したものを形成するステップと
を含む方法。
【請求項７】
第２の波長とは異なる、４７０ナノメートル以上の１つ又は複数の第３の発光波長で光を放出する第３の光源から光を出力するステップと、
前記第１、第２及び第３の光源からの発光を含む、知覚色を有する光を知覚的に混合したものを形成するステップと
を含む、請求項６に記載の方法。
【請求項８】
第１の知覚色空間に準拠した色制御データを受信するステップと、
前記受信された色制御データを第２の知覚色空間に準拠した色制御データに変換するステップと、
前記第１及び第２の光源からの前記発光を制御するのに前記第２の知覚色空間に準拠した前記色制御データを使用するステップと
を含む、請求項６に記載の方法。
【請求項９】
色制御データの受信が、Ｎａｔｉｏｎａｌ  Ｔｅｌｅｖｉｓｉｏｎ  Ｓｙｓｔｅｍ  Ｃｏｍｍｉｔｔｅｅ（ＮＴＳＣ）、Ｄｉｇｉｔａｌ  Ｃｉｎｅｍａ  Ｉｎｉｔｉａｔｉｖｅｓ（ＤＣＩ）及びＩｎｔｅｒｎａｔｉｏｎａｌ  Ｅｌｅｃｔｒｏ−ｔｅｃｈｎｉｃａｌ  Ｃｏｍｍｉｓｓｉｏｎ（ＩＥＣ）から構成されるグループから選択されるメンバを含む名称によって識別される、従来の知覚色空間に準拠した色制御データを受信するステップを含む、請求項９に記載の方法。
【請求項１０】
前記第１の光源が、４５９ナノメートル以下の１つ又は複数の第１の発光波長で、波長変換なしに、光を放出するＩＩＩ族窒化物レーザを含む、請求項６に記載の方法。
【国際調査報告】
2010520642.tif 000010
2010520642.tif 000011